【手続補正書】
【提出日】平成20年9月17日(2008.9.17)
【手続補正１】
【補正対象書類名】明細書
【補正対象項目名】発明の名称
【補正方法】変更
【補正の内容】
【発明の名称】電子機器、時間課金システム、時間課金方法、電子機器の課金管理装置、およびプログラム
【手続補正２】
【補正対象書類名】明細書
【補正対象項目名】特許請求の範囲
【補正方法】変更
【補正の内容】
【特許請求の範囲】
【請求項１】
コンテンツが、そのコンテンツデータの実質的な使用時間に対して課金がなされる使用時間課金コンテンツであるかどうかを判別する判別手段と、
前記判別手段による判別結果に応じて、前記コンテンツデータの前記実質的な使用時間を計測するためのコンテンツ使用時間計測手段と、
自機の使用状況に応じて、自機の実質的な使用時間を計測するための機器使用時間計測手段と、
前記コンテンツ使用時間計測手段または前記機器使用時間計測手段の少なくとも一方の計測結果について、使用者に対する課金を行なうための処理をする課金用処理手段と、
を備えることを特徴とする電子機器。
【請求項２】
コンテンツが、そのコンテンツデータの実質的な使用時間に対して課金がなされる使用時間課金コンテンツであるかどうかを判別する判別手段と、
前記コンテンツデータの前記実質的な使用時間を計測するためのコンテンツ使用時間計測手段と、
自機の使用状況に応じて、自機の実質的な使用時間を計測するための機器使用時間計測手段と、
前記判別手段の判別結果に基づいて、前記コンテンツ使用時間計測手段または前記機器使用時間計測手段の少なくとも一方の計測結果について、使用者に対する課金を行なうための処理をする課金用処理手段と、
を備えることを特徴とする電子機器。
【請求項３】
請求項１または請求項２に記載の電子機器において、
前記コンテンツは記憶媒体に記憶されており、前記記憶媒体が装填される媒体装填手段を備え、
前記判別手段は、前記記憶媒体から読み出した前記コンテンツについての時間課金情報に基づいて、前記コンテンツが、前記使用時間課金コンテンツであるかどうかを判別する
ことを特徴とする電子機器。
【請求項４】
請求項１または請求項２に記載の電子機器において、
前記コンテンツデータには、前記コンテンツについての時間課金情報が付加されており、前記判別手段は、前記時間課金情報を抽出し、抽出した前記時間課金情報に基づいて、前記コンテンツが、前記使用時間課金コンテンツであるかどうかを判別する
ことを特徴とする電子機器。
【請求項５】
請求項３または請求項４に記載の電子機器において、
前記時間課金情報は、前記コンテンツの使用回数の制限に関する情報を含み、
前記使用回数の制限に関する情報に基づいて、前記コンテンツの使用回数を制限する手段を備える
ことを特徴とする電子機器。
【請求項６】
請求項３または請求項４に記載の電子機器において、
前記時間課金情報は、前記コンテンツの使用料金および機器の使用料金に関する情報を含み、
前記課金用処理手段は、前記コンテンツの使用料金および前記機器の使用料金に関する情報に基づいて、前記コンテンツ使用時間計測手段または前記機器使用時間計測手段の少なくとも一方の計測結果に基づいた、使用者に対する課金を行なうための処理をする
ことを特徴とする電子機器。
【請求項７】
請求項１または請求項２に記載の電子機器において、
プリペイドカードが装填可能であって、
前記課金用処理手段は、前記コンテンツ使用時間計測手段または前記機器使用時間計測手段の少なくとも一方の計測結果の使用時間の情報に基づいて、前記プリペイドカードのプリペイド情報の書き換えを行なうものである
ことを特徴とする電子機器。
【請求項８】
請求項１または請求項２に記載の電子機器において、
仮想通貨の単位数を記憶するメモリを備える電子貨幣の装填部を備え、
前記課金用処理手段は、前記コンテンツ使用時間計測手段または前記機器使用時間計測手段の少なくとも一方の計測結果の使用時間の情報に基づいて、前記電子貨幣のメモリに記憶されている前記仮想通貨の単位数を書き換え処理するものである
ことを特徴とする電子機器。
【請求項９】
請求項８に記載の電子機器において、
前記仮想通貨は、その１単位が所定の使用時間に対応すると共に、設定された金額に対応するようにされているものであり、
前記課金用処理手段は、前記コンテンツ使用時間計測手段または前記機器使用時間計測手段の少なくとも一方の計測結果の使用時間を前記仮想通貨の単位数に換算し、換算した単位数分だけ減算した仮想通貨の単位数に、前記電子貨幣のメモリに記憶されている仮想通貨の単位数を書き換える
ことを特徴とする電子機器。
【請求項１０】
請求項１または請求項２に記載の電子機器において、
前記コンテンツデータの使用指示を含む複数の機能指示を入力するための操作入力手段と、
前記操作入力手段を通じた使用者による操作入力により指示された機能を実行するための機能実行手段と、
前記コンテンツ使用時間計測手段および前記機器使用時間計測手段は、前記機能実行手段で実行された機能の使用状況に応じて、前記コンテンツの使用時間および前記機器の使用時間を計測するものである
ことを特徴とする電子機器。
【請求項１１】
請求項１０に記載の電子機器において、
前記コンテンツ使用時間計測手段および前記機器使用時間計測手段は、前記計測した前記機能毎の実行時間について、前記機能毎のそれぞれに応じた重み付けを行なって、課金の対象となる課金時間を計算する
ことを特徴とする電子機器。
【請求項１２】
請求項１１に記載の電子機器において、
前記機能実行手段は、マイクロプロセッサによる制御を伴うものであり、
前記重み付けは、前記機能毎の実行時の前記マイクロプロセッサの負荷率によるものである
ことを特徴とする電子機器。
【請求項１３】
管理会社により管理され、コンテンツのコンテンツデータを使用するための電子機器について、前記コンテンツの使用時間および／または前記電子機器の使用時間についての課金を行なう時間課金システムであって、
前記電子機器は、
前記コンテンツが、そのコンテンツデータの実質的な使用時間に対して課金がなされる使用時間課金コンテンツであるかどうかを判別する判別手段と、
前記判別手段による判別結果に応じて、前記コンテンツデータの前記実質的な使用時間を計測するためのコンテンツ使用時間計測手段と、
自機の使用状況に応じて、自機の実質的な使用時間を計測するための機器使用時間計測手段と、
前記コンテンツ使用時間計測手段または前記機器使用時間計測手段の少なくとも一方の計測結果である使用時間の情報を記憶する記憶手段と、
前記記憶した前記使用時間の情報を少なくとも含む前記使用者に対する課金のための情報を、伝送手段を通じて、前記電子機器の識別子または前記電子機器の利用者識別子と共に、前記管理会社の管理装置に伝送するための手段と
を備え、
前記管理装置は、
前記電子機器の識別子と、前記利用者識別子と、前記電子機器の利用者による決済方法に関する情報を管理する管理情報管理手段と、
前記伝送手段を通じて送られてきた前記電子機器の識別子または前記利用者識別子の情報と、前記使用者に対する課金のための情報に基づき、前記コンテンツ使用時間および／または前記電子機器の使用時間についての課金決済を行なう課金決済手段と、
を備えることを特徴とする時間課金システム。
【請求項１４】
管理会社により管理され、コンテンツのコンテンツデータを使用するための電子機器について、前記コンテンツの使用時間および／または前記電子機器の使用時間についての課金を行なう課金システムであって、
前記電子機器は、
前記コンテンツが、そのコンテンツデータの実質的な使用時間に対して課金がなされる使用時間課金コンテンツであるかどうかを判別する判別手段と、
前記コンテンツデータの前記実質的な使用時間を計測するためのコンテンツ使用時間計測手段と、
自機の使用状況に応じて、自機の実質的な使用時間を計測するための機器使用時間計測手段と、
前記判別手段の判別結果に基づいて、前記コンテンツ使用時間計測手段または前記機器使用時間計測手段の少なくとも一方の計測結果である前記使用時間の情報を記憶する記憶手段と、
前記記憶した前記使用時間の情報を少なくとも含む前記使用者に対する課金のための情報を、伝送手段を通じて、前記電子機器の識別子または前記電子機器の利用者識別子と共に、前記管理会社の管理装置に伝送するための手段と、
を備え、
前記管理装置は、
前記電子機器の識別子と、前記利用者識別子と、前記電子機器の利用者による決済方法に関する情報を管理する管理情報管理手段と、
前記伝送手段を通じて送られてきた前記電子機器の識別子または前記利用者識別子の情報と、前記使用者に対する課金のための情報に基づき、前記コンテンツ使用時間および／または電子機器の使用時間についての課金決済を行なう課金決済手段と、
を備える
ことを特徴とする時間課金システム。
【請求項１５】
コンテンツのコンテンツデータを使用するための電子機器について、前記コンテンツの使用時間および／または前記電子機器の使用時間についての課金を行なう時間課金方法であって、
コンテンツが、そのコンテンツデータの実質的な使用時間に対して課金がなされる使用時間課金コンテンツであるかどうかに応じて、前記コンテンツデータの前記実質的な使用時間の計測あるいは前記電子機器の実質的な使用時間の計測の少なくとも一方を、前記電子機器が行い、前記計測された使用時間に基づいて、前記電子機器の使用者に対する課金を行なう
ことを特徴とする時間課金方法。
【請求項１６】
コンテンツのコンテンツデータを使用するための電子機器を管理するものであって、前記コンテンツの使用時間および／または前記電子機器の使用時間についての課金処理を行なう管理装置であって、
前記電子機器の識別子と、前記利用者識別子と、前記電子機器の利用者による決済方法に関する情報を管理する管理情報管理手段と、
前記伝送手段を通じて電子機器から送られてきた、前記電子機器の識別子または前記利用者識別子の情報と、コンテンツ使用時間計測結果または機器使用時間計測結果の少なくとも一方の計測結果の使用時間の情報とに基づいて、使用者に対する課金の決済処理を行なう課金決済手段と、
を備える
ことを特徴とする電子機器の課金管理装置。
【請求項１７】
コンテンツが、そのコンテンツデータの実質的な使用時間に対して課金がなされる使用時間課金コンテンツであるかどうかを判別する判別工程と、
前記判別手段による判別結果に応じて、前記コンテンツデータの前記実質的な使用時間を計測するためのコンテンツ使用時間計測工程と、
自機の使用状況に応じて、自機の実質的な使用時間を計測するための機器使用時間計測工程と、
前記コンテンツ使用時間計測工程または前記機器使用時間計測工程で計測結果の少なくとも一方の計測結果について、使用者に対する課金を行なうための処理をする課金用処理工程と、
からなるプログラム。
【請求項１８】
コンテンツが、そのコンテンツデータの実質的な使用時間に対して課金がなされる使用時間課金コンテンツであるかどうかを判別する判別工程と、
前記コンテンツデータの前記実質的な使用時間を計測するためのコンテンツ使用時間計測工程と、
自機の使用状況に応じて、自機の実質的な使用時間を計測するための機器使用時間計測工程と、
前記判別工程の判別結果に基づいて、前記コンテンツ使用時間計測工程または前記機器使用時間計測工程の少なくとも一方の計測結果について、使用者に対する課金を行なうための処理をする課金用処理工程と、
からなるプログラム。
【請求項１９】
コンテンツが、そのコンテンツデータの実質的な使用時間に対して課金がなされる使用時間課金コンテンツであるかどうかを判別する判別手段と、
前記コンテンツデータの使用指示を含む複数の機能指示を入力するための操作入力手段と、
前記操作入力手段を通じた使用者による操作入力により指示された機能を実行するための機能実行手段と、
前記判別手段による判別結果に応じて、前記機能実行手段で実行された機能の使用状況を参照して前記コンテンツデータの前記実質的な使用時間を計測するためのコンテンツ使用時間計測手段と、
前記コンテンツ使用時間計測手段の計測結果について、使用者に対する課金を行なうための処理をする課金用処理手段と、
を備えることを特徴とする電子機器。
【請求項２０】
コンテンツデータの実質的使用を伴う機能を含む複数個の機能を有する電子機器の前記機能の使用時間を計測し、
前記計測された前記機能毎の使用時間に基づいて、前記コンテンツデータの実質的使用に対する課金の対象となる課金時間を計算し、
前記計算された課金時間により課金の決済を行なう
ことを特徴とするコンテンツの時間課金方法。
【手続補正３】
【補正対象書類名】明細書
【補正対象項目名】００６０
【補正方法】変更
【補正の内容】
【００６０】
また、請求項２の発明による電子機器は、
コンテンツが、そのコンテンツデータの実質的な使用時間に対して課金がなされる使用時間課金コンテンツであるかどうかを判別する判別手段と、
前記コンテンツデータの前記実質的な使用時間を計測するためのコンテンツ使用時間計測手段と、
自機の使用状況に応じて、自機の実質的な使用時間を計測するための機器使用時間計測手段と、
前記判別手段の判別結果に基づいて、前記コンテンツ使用時間計測手段または前記機器使用時間計測手段の少なくとも一方の計測結果について、使用者に対する課金を行なうための処理をする課金用処理手段と、
を備えることを特徴とする。
【手続補正４】
【補正対象書類名】明細書
【補正対象項目名】００６１
【補正方法】変更
【補正の内容】
【００６１】
この請求項２の発明の電子機器によれば、コンテンツが、そのコンテンツデータの実質的な使用時間に対して課金がなされる使用時間課金コンテンツであるかどうかに応じて、コンテンツ使用時間計測手段または機器使用時間計測手段の少なくとも一方の計測結果について、使用者に対する課金を行なうための処理をする。